(57)【要約】【課題】擬似サラウンド信号処理装置を搭載していない光ディスク再生装置に対して、該擬似サラウンド信号処理装置を用いなくても擬似サラウンド効果が付与された音声を再生できる光ディスクを作製する光ディスク記録装置及び記録方法を提供する。【解決手段】アナログ信号入力部１１とチューナ１２とデジタル信号入力部１３と、アナログ音声信号をデジタル音声信号に変換するＡＤコンバータ２１と、デジタル音声信号に擬似サラウンド効果を付与する第１のＤＳＰ２２と、音声信号を光ディスクに記録可能な形式に変換するエンコーダ２３と、デジタル信号入力部１３から入力されたデジタル音声信号に擬似サラウンド効果を付与するための第２のＤＳＰ２５と、第１のＤＳＰ２２及び第２のＤＳＰ２５にＤＡコンバータ８１を介して擬似サラウンド効果を確認するための外部スピーカー８２が接続されており、擬似サラウンド効果を付与され所定の形式に変換された音声信号を光ディスクに記録する。【選択図】      図１
2004213731.tif 000002
【特許請求の範囲】
【請求項１】
音声信号を入力するための入力系と、前記入力系から入力された音声信号を光ディスクに記録可能な形式に変換する信号変換系と、前記光ディスクを回転駆動するディスク駆動系と、前記変換された音声信号を前記光ディスクに光学的に記録する記録系と前記各系を含む装置全体を制御するための制御系を備えた光ディスク記録装置において、
前記入力系は、アナログ音声信号を受信するチューナと外部機器よりアナログ音声信号を入力するためのアナログ信号入力部と外部機器よりデジタル音声信号を入力するためのデジタル信号入力部とを有しており、
前記信号変換系は、前記チューナ又は前記アナログ信号入力部からのアナログ音声信号をデジタル音声信号に変換するＡＤコンバータと、該ＡＤコンバータにて変換されたデジタル音声信号に擬似サラウンド効果を付与する第１のＤＳＰと、該第１のＤＳＰにて擬似サラウンド効果を付与された音声信号を光ディスクに記録可能な形式に変換するエンコーダとを有しており、
前記エンコーダには、前記デジタル信号入力部から入力されたデジタル音声信号に擬似サラウンド効果を付与するための第２のＤＳＰが内蔵されており、
前記第１のＤＳＰ及び前記エンコーダに内蔵された第２のＤＳＰにＤＡコンバータ及びアンプを介して前記付与された擬似サラウンド効果を確認するための外部スピーカーが接続されており、
前記記録系は、前記擬似サラウンド効果を付与され所定の形式に変換された音声信号を光ディスクに記録することができることを特徴とする光ディスク記録装置。
【請求項２】
外部機器又はチューナからアナログ音声信号を入力するステップと、
前記入力されたアナログ音声信号をデジタル音声信号に変換するステップと、前記変換されたデジタル音声信号に付与される擬似サラウンド効果を確認した後に該サラウンド効果を付与する擬似サラウンド効果付与ステップと、
前記擬似サラウンド効果を付与されたデジタル音声信号を光ディスクに記録可能な形式に変換する信号形式変換ステップと、
前記信号形式変換ステップにて変換されたデジタル音声信号を記録する記録ステップとを含むことを特徴とする光ディスク記録方法。
【請求項３】
外部機器からデジタル音声信号を入力するステップと、
前記入力されたデジタル音声信号に付与される擬似サラウンド効果を確認した後に該サラウンド効果を付与する擬似サラウンド効果付与ステップと、
前記擬似サラウンド効果を付与したデジタル音声信号を光ディスクに記録可能な形式に変換する信号形式変換ステップと、
前記信号形式変換ステップにて変換されたデジタル音声信号を記録する記録ステップとを含むことを特徴とする光ディスク記録方法。
【発明の詳細な説明】
【０００１】
【発明の属する技術分野】
本発明は、擬似サラウンド効果を付与した音声信号を記録する光ディスク記録装置及び記録方法に関するものである。
【０００２】
【従来の技術】
近年、記録媒体としてＤＶＤ（Digital Versatile Disk）を用い、そのＤＶＤに記録された映像情報及び音声情報を再生する光ディスク再生装置が普及してきている。
【０００３】
現在、前記ＤＶＤソフトの大半は音声信号をマルチトラックで録音されている。この信号を２チャンネルの記録媒体に入れるには、特別なエンコードシステムが必要となる。そこで、音声信号をこの媒体に入れる手段として所定のサラウンド方式のエンコード処理をしたものが知られている。エンコードされた信号を再生するには、所定のサラウンド方式に対応したデコーダが必要であり、２チャンネルのステレオ信号、ステレオ中央の定位を改善するためのセンタチャンネル信号及びサラウンド立体音響効果を得るためのサラウンド信号（リアチャンネル信号）の５．１チャンネルに分離させて５本のスピーカーで再生する必要がある。
【０００４】
しかし、一般の使用において５．１チャンネルのサラウンドシステムは場所、配線の複雑さからそれほど普及していない。そこで、５本のスピーカーにて再現されている音場と同等又は略同等の音場を、使用者に対して略左右対称な前方位置に配置した一対２本のスピーカーから擬似的に再現させるようにした擬似サラウンド信号処理装置が提案されている。
【０００５】
また、最近使用者が好みの映像、音楽等のソースを光ディスクに記録することができる光ディスク記録装置も普及し始めている。
【０００６】
【特許文献１】
特開２００１−１９７４１６号公報
【特許文献２】
特開平１０−１７４１９７号公報
【０００７】
【発明が解決しようとする課題】
しかしながら、上述のように５本のスピーカーにて作られる音場を、擬似的に２本のスピーカーで再現するには、上述のような擬似サラウンド信号処理装置を用いて擬似サラウンド信号を生成した後に前記一対２本のスピーカーに音声信号を送るか、該擬似サラウンド信号処理装置が光ディスク再生装置に内蔵されている必要がある。
【０００８】
前記の擬似サラウンド信号処理装置を光ディスク再生装置とは別に設ける場合は、擬似サラウンド信号処理装置の置き場所が必要となりそれに加えて配線も煩雑になる。前記擬似サラウンド信号処理装置が前記光ディスク再生装置に内蔵されている場合は、場所を確保したり、配線が煩雑になることはないが、該再生装置自体が大型化し、いずれの場合も操作が煩雑になる。
【０００９】
また、個人で撮影したビデオやＴＶ放送等を光ディスクに記録する場合、５．１チャンネル（５スピーカー）のサラウンド効果を付与して記録するものは非常に高価であり一般向けではない。また、擬似サラウンド効果を付与して記録するものであっても、作製された光ディスクを擬似サラウンド効果を生かして再生するには前記の擬似サラウンド信号処理装置を必要とする。
【００１０】
そこで本発明は、擬似サラウンド信号処理装置を搭載していない光ディスク再生装置に対して、該擬似サラウンド信号処理装置を用いなくても擬似サラウンド効果が付与された音声を再生できる光ディスクを作製することができる光ディスク記録装置及び記録方法を提供することを目的とする。
【００１１】
【課題を解決するための手段】
上記目的を達成するために請求項１の発明は、音声信号を入力するための入力系と、前記入力系から入力された音声信号を光ディスクに記録可能な形式に変換する信号変換系と、前記光ディスクを回転駆動するディスク駆動系と、前記変換された音声信号を前記光ディスクに光学的に記録する記録系と前記各系を含む装置全体を制御するための制御系を備えた光ディスク記録装置において、前記入力系は、アナログ音声信号を受信するチューナと外部機器よりアナログ音声信号を入力するためのアナログ信号入力部と外部機器よりデジタル音声信号を入力するためのデジタル信号入力部とを有しており、前記信号変換系は、前記チューナ又は前記アナログ信号入力部からのアナログ音声信号をデジタル音声信号に変換するＡＤコンバータと、該ＡＤコンバータにて変換されたデジタル音声信号に擬似サラウンド効果を付与する第１のＤＳＰと、該第１のＤＳＰにて擬似サラウンド効果を付与された音声信号を光ディスクに記録可能な形式に変換するエンコーダとを有しており、前記エンコーダには、前記デジタル信号入力部から入力されたデジタル音声信号に擬似サラウンド効果を付与するための第２のＤＳＰが内蔵されており、前記第１のＤＳＰ及び前記エンコーダに内蔵された第２のＤＳＰにＤＡコンバータ及びアンプを介して前記付与される擬似サラウンド効果を確認するための外部スピーカーが接続されており、前記記録系は、前記擬似サラウンド効果を付与され変換された音声信号を光ディスクに記録することができ、擬似サラウンド再生機能を持たない再生装置において擬似サラウンド効果が付与された音声を再生できる光ディスクを作製できることを特徴とする光ディスク記録装置を提供する。
【００１２】
この構成によると、チューナ、外部アナログ機器、外部デジタル機器等から入力してきた音声信号に擬似サラウンド効果を付与して光ディスクに記録することができる。それゆえ、該擬似サラウンド再生機能を持たない光ディスク再生装置において擬似サラウンド効果が付与された状態の音声を再現することができる。
【００１３】
また上記目的を達成するために請求項２の発明は、外部機器又はチューナからアナログ音声信号を入力するステップと、前記入力されたアナログ音声信号をデジタル音声信号に変換するステップと、前記変換されたデジタル音声信号に付与される擬似サラウンド効果を確認した後に該擬似サラウンド効果を付与する擬似サラウンド効果付与ステップと、前記擬似サラウンド効果を付与されたデジタル音声信号を光ディスクに記録可能な形式に変換する信号形式変換ステップと、前記信号形式変換ステップにて変換されたデジタル音声信号を記録する記録ステップとを含み、擬似サラウンド再生機能を持たない再生装置であっても擬似サラウンド効果を有する音声を再生できる光ディスクを作製できることを特徴とする光ディスク記録方法を提供する。この構成によると、アナログ音声信号に容易に擬似サラウンド効果を付与した状態で光ディスクを、作製することができる。
【００１４】
また上記目的を達成するために請求項３の発明は、外部機器からデジタル音声信号を入力するステップと、前記入力されたデジタル音声信号に擬似サラウンド効果を付与するステップと、前記擬似サラウンド効果を付与したデジタル音声信号を光ディスクに記録可能な形式に変換する信号形式変換ステップと、前記信号形式変換ステップにて変換されたデジタル音声信号を記録する記録ステップとを含み、擬似サラウンド再生機能を持たない再生装置であっても擬似サラウンド効果を有する音声を再生できる光ディスクを作製できることを特徴とする光ディスク記録方法を提供する。この構成によると、外部機器よりのデジタル音声信号に擬似アナログ効果を付与した状態で光ディスクに記録することができる。
【００１５】
【発明の実施の形態】
以下、図面を参照しつつ、本発明の実施の形態について説明する。図１は本発明の１実施形態に係る光ディスク記録装置の構成を示すブロック図である。この図１に示す光ディスク記録装置Ａは、音声信号を入力するための入力系１と、入力系１から入力された音声信号を光ディスクＤｋに記録可能な形式に変換する信号変換系２と、前記変換された音声信号を光ディスクＤｋに光学的に記録する記録系３と、光ディスクを回転駆動するディスク駆動系４と、前記各系を含む装置全体を制御する制御部５を備えている。
【００１６】
図１に示す光ディスク記録装置Ａの入力系１には、外部アナログ機器（それには限らないがここではＶＴＲ）６からのアナログ音声信号を入力するためのアナログ信号入力部としてのアナログ入力端子１１と、地上波等の電波（ＲＦ（Radio Frequency）信号等）をアナログ音声信号に復調するチューナ１２と、外部アナログ機器（それには限らないがここではＤＶ（Digital Video））７からのデジタル音声信号を入力するためのデジタル信号入力部としてのデジタル入力端子１３（それには限定されないが、ここではＩＥＥＥ１３９４）とを有している。
【００１７】
信号変換系は、アナログ入力端子１１より入力されたアナログ音声信号及びチューナ１２にて変調されたアナログ音声信号をデジタル音声信号に変換するＡＤコンバータ２１と、ＡＤコンバータ２１から出力されたデジタル音声信号に対して、所定の擬似サラウンド効果（音場の広がり間等のサラウンド効果）を付与するための第１のＤＳＰ（Digital Signal Processor）２２と、第１のＤＳＰ２２から出力された擬似サラウンド効果が付与されたデジタル音声信号を所定の信号形式（それには限定されないが、ここではＭＰＥＧ２）に変換するエンコーダ２３と、エンコーダ２３にてエンコードされた信号を記録系に伝送するための信号出力端子（それには限定されないが、ここではＡＴＡ  Ｉ／Ｆ）２４を備えている。
【００１８】
また、エンコーダ２３は第２のＤＳＰ２５を内蔵しており、第２のＤＳＰ２５には、デジタル入力端子１３より入力されたデジタル音声信号が直接入力され、第２のＤＳＰ２５によって所定の擬似サラウンド効果が付与されてエンコーダ２３にて所定の信号形式に変換される。エンコーダ２３にて変換されたデジタル音声信号は記録系に伝送するためのデジタル信号出力端子２４に転送される。
【００１９】
第１のＤＳＰ２２及び第２のＤＳＰ２５は、デジタル音声信号をアナログ音声信号に変換するＤＡコンバータ８１を介して、外部スピーカー８２と接続されている。ＤＡコンバータ８１にて変換された音声信号はアンプ８３にて増幅されて外部スピーカー８２に送られる。外部スピーカー８２からの音声を聞くことで、第１又は第２のＤＳＰ２２、２５にて音声信号に付与された擬似サラウンド効果を確認できる。
【００２０】
記録系３は、記録媒体としての光ディスクＤｋに信号変換系から伝送されてくるエンコードされた音声信号を記録するためのレーザ光を射出する光ヘッド３１等を備えている。
【００２１】
駆動系４は、図示を省略した記録時に光ディスクＤｋを載置するトレイと、光ディスクＤｋを回転駆動させるためのスピンドルモータ４１等を備えている。
【００２２】
制御部５は、スピンドルモータ５１と、第１及び第２のＤＳＰ２２、２５と、光ヘッド３１と、チューナ１２等の動作を制御している。また、操作部５１が接続されており、操作部５１は、複数のキーを有しており、キー操作すると操作したキーに対応する電気信号を制御部５に出力し、また、リモコン５２からのキー操作による光信号を受信したとき、この光信号を電気信号に変換し、この電気信号を制御部５に出力するように構成されている。
【００２３】
図２に本発明に係る光ディスク記録装置にて擬似サラウンド効果を付与した音声信号を光ディスクに記録する処理を説明するためのフローチャートを示す。以下、図１及び図２を参照して外部アナログ機器よりの音声信号に擬似サラウンド効果を付与した状態で光ディスクに記録する処理について説明する。
【００２４】
まず、外部アナログ機器６よりアナログ入力端子１１にアナログ音声信号の入力を確認する（ステップＳ１１）。アナログ信号入力端子１１より入力したアナログ音声信号をＡＤコンバータ２１にて、デジタル音声信号に変換する（ステップＳ１２）。
【００２５】
ＡＤコンバータ２１にてデジタル音声信号に変換された信号に擬似サラウンド効果を付与するかどうか判定する（ステップＳ１３）。擬似サラウンド効果を付与しない場合（ステップＳ１３でＮＯである場合）、デジタル音声信号は第１のＤＳＰ２２に送られるが、第１のＤＳＰ２２では処理されずそのままエンコーダに送られる（ステップＳ１６）。
【００２６】
擬似サラウンド効果を付与する場合（ステップＳ１３においてＹＥＳ）、変換されたデジタル音声信号は、第１のＤＳＰ２２に送られ、第１のＤＳＰ２２にて擬似サラウンド効果を付与される。このとき、第１のＤＳＰ２２にて付与された擬似サラウンド効果を確認するために、擬似サラウンド効果を付与されたデジタル音声信号をＤＡコンバータ８１にてアナログ音声信号に変換し、該アナログ音声信号をアンプ８３にて増幅して外部スピーカー８２に出力し、スピーカー８２にて音声を聞きながら（ステップＳ１４）第１のＤＳＰの設定を変える（ステップＳ１５）。
【００２７】
擬似サラウンド効果を付与した信号も、付与されていない信号も、エンコーダ２３にて光ディスクＤｋに記録するための形式（ここでは、ＭＰＥＧ２形式）に、エンコードする（ステップＳ１６）。エンコードされたデジタル音声信号はＡＴＡ信号出力端子２４を介して光ヘッド４１に伝送する（ステップＳ１７）。光ヘッド４１に伝送されてきたデジタル音声信号を光ディスクに記録する（ステップＳ１８）。
【００２８】
次に、内蔵されたチューナ１２を用いて受信したアナログ音声信号に擬似サラウンド効果を付与する処理を考える。まずＲＦ信号を受信した後、チューナ１２を用いてアナログ音声信号に復調する。チューナ１２によって復調されたアナログ音声信号をＡＤコンバータ２１を用いてデジタル音声信号に変換する。その後、図２に示す光ディスク記録処理方法と同じ方法（図２においてステップＳ１３以後の方法）で光ディスクに記録する。
【００２９】
また、図３に外部デジタル機器６から入力されたデジタル音声信号に擬似サラウンド効果を付与して光ディスクに記録する手順のフローチャートを示す。
【００３０】
デジタル入力端子１３から入力したデジタル音声信号をエンコーダ２３に内蔵されている第２のＤＳＰ２５に伝送する（ステップＳ２１）。第２のＤＳＰ２５に送られてきたデジタル音声信号に擬似サラウンド効果を付与するかどうか判定する（ステップＳ２２）。デジタル音声信号に擬似サラウンド効果を付与しない場合（ステップＳ２２でＮＯの場合）、デジタル音声信号に第２のＤＳＰ２５では処理を行わずにエンコードを行う（ステップＳ２５）。
【００３１】
デジタル音声信号に擬似サラウンド効果を付与する場合（ステップＳ２２でＹＥＳの場合）、第２のＤＳＰ２５にて擬似サラウンド効果を付与される。このとき、第２のＤＳＰ２５にて付与された擬似サラウンド効果を確認するために、擬似サラウンド効果を付与されたデジタル音声信号をＤＡコンバータ８１にてアナログ音声信号に変換し、該アナログ音声信号をアンプ８３にて増幅して外部スピーカー８２に出力し、スピーカー８２にて音声を聞きながら（ステップＳ２３）第２のＤＳＰ２５の設定を変える（ステップＳ２４）。
【００３２】
擬似サラウンド効果を付与した信号も、付与されていない信号も、エンコーダ２３にて光ディスクＤｋに記録するための形式（ＭＰＥＧ２形式）に、エンコードする（ステップＳ２５）。エンコードされたデジタル音声信号はＡＴＡ信号出力端子２４を介して光ヘッド４１に伝送する（ステップＳ２６）。光ヘッド４１に伝送されてきたデジタル音声信号を光ディスクに記録する（ステップＳ２７）。
【００３３】
上記説明した光ディスク記録装置は、記録のみを考えたが、再生機能を持っていてもよい。
【００３４】
上記光ディスクとしては、例えばＤＶＤ、ＭＤ、ＨＤ、ＣＤ−Ｒ等光ヘッドにて記録できるメディアを広く採用することができる。また、映像データと音声データをミキシングして記録するもの、音声データのみ記録するものいずれにも対応できる。
【００３５】
また、上述の擬似サラウンド効果付与機能は光ディスク記録装置以外にも、擬似サラウンド効果を持たない機器に対して広く採用することが可能である。
【００３６】
【発明の効果】
以上のように請求項１に係る発明によれば、アナログ入力部から入力されたアナログ音声信号をＡＤコンバータにてデジタル音声信号に変換し、デジタル音声信号に擬似サラウンド効果を付与する第１のＤＳＰと、該第１のＤＳＰにて擬似サラウンド効果を付与された音声信号を光ディスクに記録可能な形式に変換するエンコーダとを有しており、前記エンコーダには、デジタル信号入力部から入力されたデジタル音声信号に擬似サラウンド効果を付与するための第２のＤＳＰが内蔵されており、前記第１のＤＳＰ及び前記エンコーダに内蔵された第２のＤＳＰにＤＡコンバータ及びアンプを介して前記付与される擬似サラウンド効果を確認するための外部スピーカーが接続されており、前記擬似サラウンド効果を付与され所定の形式に変換された音声信号を光ディスクに記録することができ、擬似サラウンド再生機能を持たない再生装置において擬似サラウンド効果が付与された音声を再生できる光ディスクを擬似サラウンド効果を確認した後で作製できる光ディスク記録装置を得ることができる。
【００３７】
また請求項２の発明によれば、外部機器又はチューナからアナログ音声信号を入力するステップと、前記入力されたアナログ音声信号をデジタル音声信号に変換するステップと、前記変換されたデジタル音声信号に付与される擬似サラウンド効果を確認した後に該擬似サラウンド効果を付与する擬似サラウンド効果付与ステップと、前記擬似サラウンド効果を付与されたデジタル音声信号を光ディスクに記録可能な形式に変換する信号形式変換ステップと、前記信号形式変換ステップにて変換されたデジタル音声信号を記録する記録ステップとを含み、これにより、擬似サラウンド再生機能を持たない再生装置であっても擬似サラウンド効果を有する音声を再生できる光ディスクを作製できる。
【００３８】
また請求項３の発明によれば、外部機器からデジタル音声信号を入力するステップと、前記入力されたデジタル音声信号に付与される擬似サラウンド効果を確認した後に該擬似サラウンド効果を付与する擬似サラウンド効果付与ステップと、前記擬似サラウンド効果を付与したデジタル音声信号を光ディスクに記録可能な形式に変換する信号形式変換ステップと、前記信号形式変換ステップにて変換されたデジタル音声信号を記録する記録ステップとを含み、これにより、擬似サラウンド再生機能を持たない再生装置であっても擬似サラウンド効果を有する音声を再生できる光ディスクを作製できる。
【図面の簡単な説明】
【図１】本発明に係る光ディスク記録装置のブロック図である。
【図２】本発明に係る光ディスク記録装置を用いてアナログ音声入力信号に擬似サラウンド効果を付与して記録をおこなうときの処理を示すフローチャートである。
【図３】本発明に係る光ディスク記録装置を用いてデジタル音声入力信号に擬似サラウンド効果を付与して記録をおこなうときの処理を示すフローチャートである。
【符号の説明】
Ａ  光ディスク記録装置
１  入力系
１１  アナログ入力端子
１２  チューナ
１３  デジタル入力端子
２  信号変換系
２１  ＡＤコンバータ
２２  第１のＤＳＰ
２３  エンコーダ
２４  信号出力端子
２５  第２のＤＳＰ
３  記録系
３１  光ヘッド
４  駆動系
４１  スピンドルモータ
５  制御部
６  外部アナログ機器
７  外部デジタル機器
８１  ＤＡコンバータ
８２  外部スピーカー
８３  アンプ
【図１】
2004213731.tif 000003
【図２】
2004213731.tif 000004
【図３】
2004213731.tif 000005